【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
前側胴部と後側胴部とこれらの間に位置する股部を有し、前側胴部と後側胴部とが接合されることによりウェスト開口部と一対の脚開口部とを有するパンツ形状に形成された外装部材と、
外装部材の少なくとも股部に設けられ、トップシートとバックシートとこれらの間に配された吸収体を有する吸収性本体とを有する使い捨ておむつであって、
外装部材は内側シートと外側シートを有し、内側シートと外側シートの間に、股部を横断し、脚開口部の前側の縁に沿って延びる前側脚部弾性部材と、股部を横断し、脚開口部の後側の縁に沿って延びる後側脚部弾性部材とが設けられるとともに、前側胴部と後側胴部に、幅方向に延びる胴部弾性部材が設けられ、
吸収性本体は外装部材の肌面側に第１接着領域で接着され、
内側シートと外側シートは第２接着領域で互いに接着され、第２接着領域は、股部に設けられた第２中間接着領域と、第２中間接着領域よりも前側に設けられた第２前側接着領域と、第２中間接着領域よりも後側に設けられた第２後側接着領域とを有し、第２中間接着領域において、前側脚部弾性部材と後側脚部弾性部材が股部を横断して設けられ、
第２中間接着領域は、少なくとも一部が第１接着領域と重なって設けられるともに、吸収性本体の幅方向の一方側縁から他方側縁にかけて連続的に設けられ、
第２前側接着領域が下記要件Ａを満たすように設けられている、および／または、第２後側接着領域が下記要件Ｂを満たすように設けられていることを特徴とする使い捨ておむつ。
（要件Ａ）
第２前側接着領域は、幅方向の一方側に第１接着領域と重ならずに設けられた第２右前側接着領域と、幅方向の他方側に第１接着領域と重ならずに設けられた第２左前側接着領域と、これらの間に第１接着領域と重なって設けられた第２中央前側接着領域とを有し、
第２右前側接着領域と第２中央前側接着領域の間および第２左前側接着領域と第２中央前側接着領域の間に、吸収性本体と重なって、内側シートと外側シートとが接着されない第２前側非接着領域が設けられ、
第２前側接着領域は胴部弾性部材から離間して設けられ、第２前側接着領域と胴部弾性部材との間に、内側シートと外側シートが接着されない非接着領域が形成されている。
（要件Ｂ）
第２後側接着領域は、幅方向の一方側に第１接着領域と重ならずに設けられた第２右後側接着領域と、幅方向の他方側に第１接着領域と重ならずに設けられた第２左後側接着領域と、これらの間に第１接着領域と重なって設けられた第２中央後側接着領域とを有し、
第２右後側接着領域と第２中央後側接着領域の間および第２左後側接着領域と第２中央後側接着領域の間に、吸収性本体と重なって、内側シートと外側シートとが接着されない第２後側非接着領域が形成され、
第２後側接着領域は胴部弾性部材から離間して設けられ、第２後側接着領域と胴部弾性部材との間に、内側シートと外側シートが接着されない非接着領域が形成されている。
【請求項２】
前側脚部弾性部材と後側脚部弾性部材は、第２中間接着領域で股部を断続的に横断して設けられている請求項１に記載の使い捨ておむつ。
【請求項３】
第２中央前側接着領域は、吸収性本体の前側縁よりも前方に延在して設けられている、および／または、
第２中央後側接着領域は、吸収性本体の後側縁よりも後方に延在して設けられている請求項１または２に記載の使い捨ておむつ。
【請求項４】
第２右前側接着領域は、吸収性本体の幅方向の一方側縁から幅方向の外方に延在して設けられ、第２左前側接着領域は、吸収性本体の幅方向の他方側縁から幅方向の外方に延在して設けられている、および／または、
第２右後側接着領域は、吸収性本体の幅方向の一方側縁から幅方向の外方に延在して設けられ、第２左後側接着領域は、吸収性本体の幅方向の他方側縁から幅方向の外方に延在して設けられている請求項１〜３のいずれか一項に記載の使い捨ておむつ。
【請求項５】
第２右前側接着領域と第２左前側接着領域は、前側脚部弾性部材と重なって設けられるとともに、前側脚部弾性部材よりも前方に延在している、および／または、
第２右後側接着領域と第２左後側接着領域は、後側脚部弾性部材と重なって設けられるとともに、後側脚部弾性部材よりも後方に延在している請求項１〜４のいずれか一項に記載の使い捨ておむつ。
【請求項６】
第２中間接着領域は、吸収性本体の幅方向の一方側縁および他方側縁から幅方向の外方に、外装部材の外縁まで延在して設けられている請求項１〜５のいずれか一項に記載の使い捨ておむつ。
【請求項７】
第１接着領域の幅方向の一方側縁から他方側縁までの長さをＷＡ１、第１接着領域の幅方向の一方側縁から他方側縁までの範囲における第２前側非接着領域の幅方向の長さをＷＡ２としたとき、ＷＡ２／ＷＡ１の値が０．２０以上０．６５以下である、および／または、
第１接着領域の幅方向の一方側縁から他方側縁までの長さをＷＢ１、第１接着領域の幅方向の一方側縁から他方側縁までの範囲における第２後側非接着領域の幅方向の長さをＷＢ２としたとき、ＷＢ２／ＷＢ１の値が０．２０以上０．６５以下である請求項１〜６のいずれか一項に記載の使い捨ておむつ。
【請求項８】
第２前側非接着領域の幅方向の長さは、第２後側非接着領域の幅方向の長さよりも長い請求項１〜７のいずれか一項に記載の使い捨ておむつ。
【請求項９】
第２前側接着領域および／または第２後側接着領域は、第２中間接着領域よりも剛軟度が高い請求項１〜８のいずれか一項に記載の使い捨ておむつ。
【請求項１０】
第１接着領域の幅方向の外方に、吸収性本体の幅方向の一方側縁または他方側縁と重なって、吸収性本体と外装部材とが接着されない第１側部非接着領域が設けられ、
第１側部非接着領域は、第２前側非接着領域および／または第２後側非接着領域と重なって設けられている請求項１〜９のいずれか一項に記載の使い捨ておむつ。
【請求項１１】
第１接着領域は幅方向に並んで複数設けられ、複数の第１接着領域の間に、吸収性本体が外装部材と接着されない第１中央非接着領域が設けられ、
第２中央前側接着領域は幅方向に並んで複数設けられ、複数の第２中央前側接着領域の間に、内側シートと外側シートとが接着されない第２中央前側非接着領域が設けられ、および／または、第２中央後側接着領域は幅方向に並んで複数設けられ、複数の第２中央後側接着領域の間に、内側シートと外側シートとが接着されない第２中央後側非接着領域が設けられ、
第１中央非接着領域は、第２中央前側非接着領域および／または第２中央後側非接着領域と重なって設けられている請求項１〜１０のいずれか一項に記載の使い捨ておむつ。
【請求項１２】
吸収性本体には、幅方向の両側に立ち上がりフラップが設けられ、
立ち上がりフラップは、前側端部と後側端部とこれらの間の中間部を有し、中間部に前後方向に延びるフラップ弾性部材が設けられ、前側端部と後側端部がトップシートに接合されることにより中間部が起立可能に形成され、
第２中間接着領域の前側縁が立ち上がりフラップの前側端部の後側縁よりも後方に位置する、および／または、
第２中間接着領域の後側縁が立ち上がりフラップの後側端部の前側縁よりも前方に位置する請求項１〜１１のいずれか一項に記載の使い捨ておむつ。
【請求項１３】
吸収性本体には、幅方向の両側に立ち上がりフラップが設けられ、
立ち上がりフラップの起立基部は、第２前側非接着領域および／または第２後側非接着領域と重なる位置にある請求項１〜１２のいずれか一項に記載の使い捨ておむつ。